(57)【要約】  本開示のいくつかの態様は、非アクティブ状態にあるUEへのおよび/またはからのシグナリングのための方法および装置に関する。
2021521708.tif 000002
【特許請求の範囲】
【請求項１】
ユーザ機器(UE)によるワイヤレス通信のための方法であって、
第1のネットワークエンティティへの第1のリンクおよび第2のネットワークエンティティへの第2のリンクのうちの少なくとも1つを有するシグナリング無線ベアラ(SRB)を確立するための構成のシグナリングを受信するステップと、
前記ネットワーク内の前記UEのコンテキストが前記UEおよび少なくとも前記第1のネットワークエンティティにおいて維持される非アクティブ状態に遷移するステップと、
前記非アクティブ状態にある間に、前記SRBを使用して前記ネットワークと通信するステップとを含む、方法。
【請求項２】
前記第1のネットワークエンティティが、前記構成を前記UEにシグナリングしたアンカー基地局を含み、
前記第2のネットワークエンティティが、前記UEが前記ネットワークにアクセスするために使用している基地局を含む、請求項1に記載の方法。
【請求項３】
前記UEが、デュアルコネクティビティをサポートし、
前記SRBが、前記第1のネットワークエンティティへの第1のリンクおよび前記第2のネットワークエンティティへの第2のリンクを有する分割SRBを含み、
前記第1のネットワークエンティティが、マスタノード(MN)を含み、
前記第2のネットワークエンティティが、セカンダリノード(SN)を含む、請求項1に記載の方法。
【請求項４】
前記MNが、前記第2のネットワークエンティティをSNとして働くように構成し、前記UEに対するSNとして以前働いていた別のネットワークエンティティを解放する、請求項3に記載の方法。
【請求項５】
前記UEが、前記非アクティブ状態に移行する前に、前記第1のネットワークエンティティから取得したセキュリティ認証情報を使用して、前記SRBに対して完全性保護を適用する、請求項1に記載の方法。
【請求項６】
前記UEが、前記第2のネットワークエンティティに移行する際に、前記SRBを介して前記ネットワークにアクセスするための前記構成を適用する、請求項1に記載の方法。
【請求項７】
前記ネットワークと通信するステップが、前記分割ベアラを使用して無線アクセスネットワーク(RAN)通知エリア(RNA)更新手順を実行するステップを含む、請求項6に記載の方法。
【請求項８】
前記分割ベアラを使用して前記RNA更新手順を実行するステップが、
前記SRBを介して前記第1のネットワークエンティティに転送されることになるRNA更新メッセージを、前記第2のネットワークエンティティに送るステップと、
前記SRBを介して前記第2のネットワークエンティティから転送された前記RNA更新メッセージに対する応答を、前記第1のネットワークエンティティから受信するステップとを含む、請求項7に記載の方法。
【請求項９】
前記ネットワークと通信するステップが、前記分割ベアラを使用して無線リソース制御(RRC)接続を再開するために、前記非アクティブ状態からの遷移を要求するメッセージを送るステップを含む、請求項6に記載の方法。
【請求項１０】
前記SRBを介して前記第2のネットワークエンティティから転送された前記要求に対する応答を、前記第1のネットワークエンティティから受信するステップをさらに含む、請求項9に記載の方法。
【請求項１１】
前記応答が、前記要求を拒絶するものであり、完全性保護を有していない前記SRBを介して受信される、請求項10に記載の方法。
【請求項１２】
前記応答が、前記UEを前記非アクティブ状態に戻すものであり、完全性保護を有する前記SRBを介して受信される、請求項10に記載の方法。
【請求項１３】
前記応答が、前記UEを前記非アクティブ状態に移行させるメッセージによって構成されたパラメータと同じ、少なくともいくつかのパラメータを構成する、請求項12に記載の方法。
【請求項１４】
前記応答が、前記UEをアイドル状態に移行させるものであり、完全性保護を有する前記SRBを介して受信される、請求項10に記載の方法。
【請求項１５】
前記応答が、優先度、リダイレクト情報、アイドルモードモビリティ制御情報、原因、またはアイドルモード再選択情報のうちの少なくとも1つを搬送する、請求項14に記載の方法。
【請求項１６】
前記応答が、前記UEが前記アイドル状態を保つべきであることを示す、請求項14に記載の方法。
【請求項１７】
前記ネットワークと通信するステップが、前記SRBを介してデータを送るステップまたは受信するステップのうちの少なくとも1つを含む、請求項6に記載の方法。
【請求項１８】
ネットワークエンティティによるワイヤレス通信のための方法であって、
前記ネットワークエンティティへの第1のリンクおよび別のネットワークエンティティへの第2のリンクを有するシグナリング無線ベアラ(SRB)を確立するための構成をユーザ機器(UE)にシグナリングするステップと、
前記ネットワーク内の前記UEのコンテキストが、前記UEおよび少なくとも前記第1のネットワークエンティティにおいて維持される非アクティブ状態に前記UEを遷移させるステップと、
前記UEが前記非アクティブ状態にある間に、前記SRBを介して前記UEと通信するステップとを含む、方法。
【請求項１９】
前記ネットワークエンティティが、前記構成を前記UEにシグナリングしたアンカー基地局を含み、
前記別のネットワークエンティティが、前記UEが前記ネットワークにアクセスするために使用している基地局を含む、請求項18に記載の方法。
【請求項２０】
前記UEが、デュアルコネクティビティをサポートし、
前記SRBが、前記第1のネットワークエンティティへの第1のリンクおよび前記第2のネットワークエンティティへの第2のリンクを有する分割SRBを含み、
前記ネットワークエンティティが、マスタノード(MN)を含み、
前記別のネットワークエンティティが、セカンダリノード(SN)を含む、請求項18に記載の方法。
【請求項２１】
前記MNが、前記別のネットワークエンティティをSNとして働くように構成し、前記UEに対するSNとして以前働いていた別のネットワークエンティティを解放する、請求項20に記載の方法。
【請求項２２】
前記ネットワークエンティティが、前記非アクティブ状態に移行する前に、前記UEに与えられたセキュリティ認証情報を使用して、前記SRBに対して完全性保護を適用する、請求項18に記載の方法。
【請求項２３】
前記UEが、前記別のネットワークエンティティに移行する際に、前記SRBを介して前記ネットワークにアクセスするための前記構成を適用する、請求項18に記載の方法。
【請求項２４】
前記UEと通信するステップが、前記分割ベアラを使用して無線アクセスネットワーク(RAN)通知エリア(RNA)更新を前記UEから受信するステップを含む、請求項23に記載の方法。
【請求項２５】
前記分割ベアラを使用して前記RNA更新手順を受信するステップが、
前記SRBを介して前記別のネットワークエンティティによって転送されたRNA更新メッセージを受信するステップと、
前記SRBを介して前記別のネットワークエンティティによって前記UEに転送されることになる前記RNA更新メッセージに対する応答を送るステップとを含む、請求項24に記載の方法。
【請求項２６】
前記UEと通信するステップが、前記分割ベアラを使用して無線リソース制御(RRC)接続を再開するために、前記非アクティブ状態からの遷移を要求するメッセージを前記UEから受信するステップを含む、請求項23に記載の方法。
【請求項２７】
前記SRBを介して前記UEに転送されることになる、前記要求に対する応答を、前記別のネットワークエンティティに送るステップをさらに含む、請求項26に記載の方法。
【請求項２８】
前記応答が、前記要求を拒絶するものであり、完全性保護を有していない前記SRBを介して受信される、請求項27に記載の方法。
【請求項２９】
前記応答が、前記UEを前記非アクティブ状態に戻すものであり、完全性保護を有する前記SRBを介して受信される、請求項27に記載の方法。
【請求項３０】
前記応答が、前記UEを前記非アクティブ状態に移行させるメッセージによって構成されたパラメータと同じ、少なくともいくつかのパラメータを構成する、請求項29に記載の方法。
【請求項３１】
前記応答が、前記UEをアイドル状態に移行させるものであり、完全性保護を有する前記SRBを介して受信される、請求項27に記載の方法。
【請求項３２】
前記応答が、優先度、リダイレクト情報、アイドルモードモビリティ制御情報、原因、またはアイドルモード再選択情報のうちの少なくとも1つを搬送する、請求項31に記載の方法。
【請求項３３】
前記応答が、前記UEが前記アイドル状態を保つべきであることを示す、請求項31に記載の方法。
【請求項３４】
前記UEと通信するステップが、前記SRBを介してデータを送るステップまたは受信するステップのうちの少なくとも1つを含む、請求項23に記載の方法。
【請求項３５】
ネットワークエンティティによるワイヤレス通信のための方法であって、
前記ネットワークエンティティへの第1のリンクおよび別のネットワークエンティティへの第2のリンクを有するシグナリング無線ベアラ(SRB)を介して非アクティブ状態にあるユーザ機器(UE)からメッセージを受信するステップと、
前記メッセージを前記第2のネットワークエンティティに転送するステップとを含む、方法。
【請求項３６】
前記別のネットワークエンティティが、前記構成を前記UEにシグナリングしたアンカー基地局を含み、
前記ネットワークエンティティが、前記UEが前記ネットワークにアクセスするために使用している基地局を含む、請求項35に記載の方法。
【請求項３７】
前記UEが、デュアルコネクティビティをサポートし、
前記別のネットワークエンティティが、マスタノード(MN)を含み、
前記ネットワークエンティティが、セカンダリノード(SN)を含む、請求項35に記載の方法。
【請求項３８】
前記MNが、前記ネットワークエンティティをSNとして働くように構成し、前記UEに対するSNとして以前働いていた別のネットワークエンティティを解放する、請求項37に記載の方法。
【発明の詳細な説明】
【技術分野】
【０００１】
米国特許法第119条に基づく優先権の主張
本出願は、本出願の譲受人に譲渡され、参照により本明細書に明確に組み込まれる、2018年4月18日に出願された米国仮特許出願第62/659,481号の利益を主張する、2019年4月17日に出願された米国出願第16/386,880号の優先権を主張する。
【０００２】
本開示は、一般に、通信システムに関し、より詳細には、非アクティブネットワーク状態にあるユーザ機器(UE)へのおよび/またはからのシグナリングを最適化するための方法および装置に関する。
【背景技術】
【０００３】
ワイヤレス通信システムは、電話、ビデオ、データ、メッセージング、およびブロードキャストなどの、様々な電気通信サービスを提供するために広く展開されている。一般のワイヤレス通信システムは、利用可能なシステムリソース(たとえば、帯域幅、送信電力)を共有することによって複数のユーザとの通信をサポートすることが可能な多元接続技術を採用し得る。そのような多元接続技術の例は、ロングタームエボリューション(LTE)システム、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムを含む。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEまたはLTE-Aネットワークでは、1つまたは複数の基地局のセットがeノードB(eNB)を定義してよい。他の例では(たとえば、次世代または5Gネットワークでは)、ワイヤレス多元接続通信システムは、いくつかの集約ユニット(CU)(たとえば、中央ノード(CN)、アクセスノードコントローラ(ANC)など)と通信するいくつかの分散ユニット(DU)(たとえば、エッジユニット(EU)、エッジノード(EN)、無線ヘッド(RH)、スマート無線ヘッド(SRH)、送信受信ポイント(TRP)など)を含んでよく、集約ユニットと通信する1つまたは複数の分散ユニットのセットがアクセスノード(たとえば、ニューラジオ基地局(NR BS:new radio base station)、ニューラジオノードB(NR NB:new radio node-B)、ネットワークノード、5G NB、eNBなど)を定義してよい。基地局またはDUは、(たとえば、基地局から、またはUEへの送信のための)ダウンリンクチャネルおよび(たとえば、UEから基地局または分散ユニットへの送信のための)アップリンクチャネル上でUEのセットと通信してよい。
【０００５】
これらの多元接続技術は、異なるワイヤレスデバイスが都市、国家、地域、さらには地球規模で通信することを可能にする共通プロトコルを提供するために、様々な電気通信規格において採用されている。新生の電気通信規格の一例は、ニューラジオ(NR)、たとえば、5G無線アクセスである。NRは、第3世代パートナーシッププロジェクト(3GPP)によって公表されたLTEモバイル規格に対する拡張のセットである。それは、スペクトル効率を改善し、コストを削減し、サービスを改善し、新しいスペクトルを利用し、またダウンリンク(DL)およびアップリンク(UL)上でOFDMAをサイクリックプレフィックス(CP)とともに使用する他のオープン規格とよりうまく統合することによって、モバイルブロードバンドインターネットアクセスをよりうまくサポートし、ならびにビームフォーミング、多入力多出力(MIMO)アンテナ技術、およびキャリアアグリゲーションをサポートするように設計されている。
【発明の概要】
【発明が解決しようとする課題】
【０００６】
しかしながら、モバイルブロードバンドアクセスに対する需要が増大し続けるにつれて、NR技術におけるさらなる改善が必要である。好ましくは、これらの改善は、他の多元接続技術、およびこれらの技術を用いる電気通信規格に適用可能であるべきである。
【課題を解決するための手段】
【０００７】
本開示のシステム、方法、およびデバイスはそれぞれ、いくつかの態様を有し、それらのうちの単一の態様だけが、その望ましい属性を担うわけではない。以下の特許請求の範囲によって表される本開示の範囲を限定することなく、いくつかの特徴についてここで簡潔に説明する。この説明を考慮した後、また特に「発明を実施するための形態」と題するセクションを読んだ後、本開示の特徴が、ワイヤレスネットワークにおけるアクセスポイントと局との間の改善された通信を含む利点をどのようにもたらすかが理解されよう。
【０００８】
本開示のいくつかの態様は、一般に、非アクティブネットワーク状態においてユーザ機器へのおよび/またはユーザ機器からのシグナリングを最適化するための技法に関する。
【０００９】
本開示のいくつかの態様は、UEによるワイヤレス通信のための方法を提供する。方法は、一般に、第1の基地局への第1のリンクおよび第2の基地局への第2のリンクを有するシグナリング無線ベアラ(SRB)を確立するための構成のシグナリングを受信するステップと、ネットワーク内のUEのコンテキストがUEおよび少なくとも第1の基地局において維持される非アクティブ状態に遷移するステップと、非アクティブ状態にある間にSRBを使用してネットワークと通信するステップとを含む。
【００１０】
本開示のいくつかの態様は、ネットワークエンティティを提供する。方法は、一般に、ネットワークエンティティへの第1のリンクおよび別のネットワークエンティティへの第2のリンクを有するシグナリング無線ベアラ(SRB)を確立するための構成をユーザ機器(UE)にシグナリングするステップと、ネットワーク内のUEのコンテキストがUEおよび少なくとも第1の基地局において維持される非アクティブ状態にUEを遷移させるステップと、UEが非アクティブ状態にある間にSRBを介してUEと通信するステップとを含む。
【００１１】
本開示のいくつかの態様は、ネットワークエンティティを提供する。方法は、一般に、ネットワークエンティティへの第1のリンクおよび別のネットワークエンティティへの第2のリンクを有するシグナリング無線ベアラ(SRB)を介して非アクティブ状態にあるユーザ機器(UE)からメッセージを受信するステップと、メッセージを第2のネットワークエンティティに転送するステップとを含む。
【００１２】
態様は、一般に、添付の図面を参照しながら本明細書で十分に説明され、添付の図面によって示される、方法、装置、システム、コンピュータ可読媒体、および処理システムを含む。
【００１３】
上記の目的および関係する目的を達成するために、1つまたは複数の態様は、以下で十分に説明され、特に特許請求の範囲で指摘される特徴を含む。以下の説明および添付の図面は、1つまたは複数の態様のいくつかの例示的な特徴を詳細に記載する。しかしながら、これらの特徴は、様々な態様の原理が利用され得る様々な方法のほんのいくつかを示すものであり、この説明は、すべてのそのような態様およびそれらの均等物を含むものである。
【００１４】
本開示の上記の特徴が詳細に理解され得るように、上記で簡単に要約したより具体的な説明が、態様を参照することによって行われることがあり、態様のうちのいくつかは添付の図面に示される。しかしながら、本説明は他の等しく効果的な態様に通じ得るので、添付の図面が、本開示のいくつかの典型的な態様のみを示し、したがって、本開示の範囲を限定するものと見なされるべきではないことに留意されたい。
【図面の簡単な説明】
【００１５】
【図１】本開示のいくつかの態様による、例示的な電気通信システムを概念的に示すブロック図である。
【図２】本開示のいくつかの態様による、分散型RANの例示的な論理アーキテクチャを示すブロック図である。
【図３】本開示のいくつかの態様による、分散型RANの例示的な物理アーキテクチャを示す図である。
【図４】本開示のいくつかの態様による、例示的なBSおよびユーザ機器(UE)の設計を概念的に示すブロック図である。
【図５】本開示のいくつかの態様による、通信プロトコルスタックを実装するための例を示す図である。
【図６】本開示のいくつかの態様による、DL中心のサブフレームの一例を示す図である。
【図７】本開示のいくつかの態様による、UL中心のサブフレームの一例を示す図である。
【図８】本開示のいくつかの態様による、非アクティブ状態にあるUEへのおよび/またはからのシグナリングに対する例示的なコールフロー図である。
【図９】本開示のいくつかの態様による、非アクティブネットワーク状態にあるUEによって実行され得る例示的な動作を示す図である。
【図１０】本開示のいくつかの態様による、アンカー基地局によって実行され得る例示的な動作を示す図である。
【図１１】本開示のいくつかの態様による、サービング基地局によって実行され得る例示的な動作を示す図である。
【図１２】本開示のいくつかの態様による、RAN通知エリア(RNA)更新シグナリングに対する例示的なコールフロー図である。
【発明を実施するための形態】
【００１６】
理解を容易にするために、可能な場合、図に共通する同一の要素を示すために、同一の参照番号が使用されている。特定の具陳なしに、一態様において開示する要素が他の態様において有利に利用され得ることが企図される。
【００１７】
本開示の態様は、ニューラジオ(NR)(ニューラジオアクセス技術または5G技術)システムなどのワイヤレス通信システム内で使用され得る装置、方法、処理システム、およびコンピュータ可読媒体を提供する。たとえば、本明細書で提示するいくつかの技法は、無線アクセスネットワーク(RAN)通知エリア(RNA)更新手順のためのシグナリングを提供する。
【００１８】
NRは、拡張モバイルブロードバンド(eMBB:Enhanced mobile broadband)ターゲットの広い帯域幅(たとえば、80MHzを越える)、ミリ波(mmW:millimeter wave)ターゲットの高いキャリア周波数(たとえば、60GHz)、マッシブMTC(mMTC:massive MTC)ターゲットの後方互換性のないMTC技法、および/またはミッションクリティカルターゲットの超高信頼低レイテンシ通信(URLLC:ultra reliable low latency communication)などの、様々なワイヤレス通信サービスをサポートし得る。これらのサービスは、レイテンシ要件および信頼性要件を含み得る。これらのサービスはまた、それぞれのサービス品質(QoS)要件を満たすための異なる送信時間間隔(TTI)を有し得る。加えて、これらのサービスは、同じサブフレームにおいて共存し得る。
【００１９】
本開示の態様は、たとえば、UEが異なるサービング基地局(gNB)に移動するときに、RNA更新手順の一部として、非アクティブネットワーク状態にあるUEへのおよび/またはからのシグナリングを最適化することに関する。
【００２０】
以下の説明は例を提供するものであり、特許請求の範囲に記載される範囲、適用可能性、または例を限定するものではない。本開示の範囲から逸脱することなく、説明する要素の機能および構成に変更が加えられてよい。様々な例は、様々な手順または構成要素を適宜に省略してよく、置換してよく、または追加してよい。たとえば、説明する方法は、説明する順序とは異なる順序で実行されてよく、様々なステップが追加されてよく、省略されてよく、または組み合わせられてよい。また、いくつかの例に関して説明する特徴が、いくつかの他の例では組み合わせられてよい。たとえば、本明細書に記載される任意の数の態様を使用して、装置が実装されてよく、または方法が実践されてよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で開示する本開示のいずれの態様も、請求項の1つまたは複数の要素によって具現化され得ることを理解されたい。「例示的」という語は、本明細書では「例、事例、または例示として機能すること」を意味するために使用される。本明細書で「例示的」であるものとして説明されるいずれの態様も、必ずしも他の態様よりも好ましいまたは有利であると解釈されるべきではない。
【００２１】
本明細書で説明する技法は、LTE、CDMA、TDMA、FDMA、OFDMA、SC-FDMA、および他のネットワークなどの、様々なワイヤレス通信ネットワークに使用され得る。「ネットワーク」および「システム」という用語は、しばしば、互換的に使用される。CDMAネットワークは、ユニバーサル地上無線アクセス(UTRA)、cdma2000などの無線技術を実装し得る。UTRAは、広帯域CDMA(WCDMA(登録商標))、およびCDMAの他の変形を含む。cdma2000は、IS-2000規格、IS-95規格、およびIS-856規格を対象とする。TDMAネットワークは、モバイル通信用グローバルシステム(GSM(登録商標))などの無線技術を実装し得る。OFDMAネットワークは、NR(たとえば、5G RA)、発展型UTRA(E-UTRA)、ウルトラモバイルブロードバンド(UMB)、IEEE 802.11(Wi-Fi)、IEEE 802.16(WiMAX)、IEEE 802.20、Flash-OFDMAなどの無線技術を実装し得る。UTRAおよびE-UTRAは、ユニバーサルモバイルテレコミュニケーションシステム(UMTS)の一部である。NRは、5G技術フォーラム(5GTF)とともに開発中の新しく出現したワイヤレス通信技術である。3GPPロングタームエボリューション(LTE)およびLTEアドバンスト(LTE-A)は、E-UTRAを使用するUMTSのリリースである。UTRA、E-UTRA、UMTS、LTE、LTE-AおよびGSM(登録商標)は、「第3世代パートナーシッププロジェクト」(3GPP)と称する団体による文書に記載されている。cdma2000およびUMBは、「第3世代パートナーシッププロジェクト2」(3GPP2)と称する団体の文書に記載されている。本明細書で説明する技法は、上述のワイヤレスネットワークおよび無線技術、ならびに他のワイヤレスネットワークおよび無線技術に使用され得る。明確にするために、本明細書では一般に3Gおよび/または4Gワイヤレス技術に関連する用語を使用して態様が説明されることがあるが、本開示の態様は、NR技術を含めて、5G以降のものなどの他の世代ベースの通信システムにおいて適用され得る。
【００２２】
例示的なワイヤレス通信システム
図1は、本開示の態様が実行され得る、ニューラジオ(NR)または5Gネットワークなどの、例示的なワイヤレスネットワーク100を示す。たとえば、ワイヤレスネットワーク100のUE120および基地局110は、図9、図10および図11に示す動作を、RNA更新手順の一部として実行し得る。
【００２３】
図1に示すように、ワイヤレスネットワーク100は、いくつかのBS110と他のネットワークエンティティとを含み得る。BSは、UEと通信する局であり得る。各BS110は、特定の地理的エリアに通信カバレージを提供し得る。3GPPでは、「セル」という用語は、この用語が使用される状況に応じて、このカバレージエリアにサービスしているノードBおよび/またはノードBサブシステムのカバレージエリアを指すことがある。NRシステムでは、「セル」およびeNB、ノードB、5G NB、AP、NR BS、またはTRPなどの用語は交換可能であり得る。いくつかの例では、セルは、必ずしも静止しているとは限らないことがあり、セルの地理的エリアは、モバイル基地局のロケーションに従って移動し得る。いくつかの例では、基地局は、任意の適切なトランスポートネットワークを使用して、直接物理接続、仮想ネットワークなど、様々なタイプのバックホールインターフェースを通じて、ワイヤレスネットワーク100内で互いに、および/または1つもしくは複数の他の基地局もしくはネットワークノード(図示せず)に相互接続され得る。
【００２４】
一般に、任意の数のワイヤレスネットワークが、所与の地理的エリアにおいて展開されてよい。各ワイヤレスネットワークは、特定の無線アクセス技術(RAT)をサポートしてよく、1つまたは複数の周波数で動作してよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてよい。場合によっては、NR RATネットワークまたは5G RATネットワークが展開されてよい。
【００２５】
BSは、マクロセル、ピコセル、フェムトセル、および/または他のタイプのセルのための通信カバレージを提供し得る。マクロセルは、比較的大きい地理的エリア(たとえば、半径数キロメートル)をカバーすることができ、サービスに加入しているUEによる無制限アクセスを可能にしてよい。ピコセルは、比較的小さい地理的エリアをカバーすることができ、サービスに加入しているUEによる無制限アクセスを可能にしてよい。フェムトセルは、比較的小さい地理的エリア(たとえば、自宅)をカバーすることができ、フェムトセルとの関連を有するUE(たとえば、限定加入者グループ(CSG)内のUE、自宅内のユーザのためのUEなど)による制限付きアクセスを可能にしてよい。マクロセルのためのBSは、マクロBSと呼ばれることがある。ピコセルのためのBSは、ピコBSと呼ばれることがある。フェムトセルのためのBSは、フェムトBSまたはホームBSと呼ばれることがある。図1に示す例では、BS110a、110bおよび110cは、それぞれ、マクロセル102a、102bおよび102cのためのマクロBSであり得る。BS110xは、ピコセル102xのためのピコBSであり得る。BS110yおよび110zは、それぞれ、フェムトセル102yおよび102zのためのフェムトBSであり得る。BSは1つまたは複数(たとえば、3つ)のセルをサポートしてよい。
【００２６】
ワイヤレスネットワーク100は、中継局も含んでもよい。中継局は、アップストリーム局(たとえばBSまたはUE)からデータおよび/または他の情報の送信を受信し、ダウンストリーム局(たとえば、UEまたBS)にデータおよび/または他の情報の送信を送る局である。また、中継局は、他のUEのための送信を中継するUEであってもよい。図1に示す例では、中継局110rは、BS110aとUE120rとの間の通信を容易にするために、BS110aおよびUE120rと通信することができる。中継局はまた、リレーBS、リレーなどと呼ばれることもある。
【００２７】
ワイヤレスネットワーク100は、異なるタイプのBS、たとえば、マクロBS、ピコBS、フェムトBS、リレーなどを含む異種ネットワークとすることができる。これらの異なるタイプのBSは、異なる送信電力レベル、異なるカバレージエリア、およびワイヤレスネットワーク100中の干渉に対する異なる影響を有してよい。たとえば、マクロBSは高い送信電力レベル(たとえば、20ワット)を有することがあり、一方で、ピコBS、フェムトBS、およびリレーはより低い送信電力レベル(たとえば、1ワット)を有することがある。
【００２８】
ワイヤレスネットワーク100は、同期動作または非同期動作をサポートしてよい。同期動作の場合、BSは、同様のフレームタイミングを有することができ、異なるBSからの送信は、時間的にほぼ整合し得る。非同期動作の場合、BSは、異なるフレームタイミングを有する場合があり、異なるBSからの送信は、時間的に整合していない場合がある。本明細書で説明する技法は、同期動作と非同期動作の両方に使用されてよい。
【００２９】
ネットワークコントローラ130は、BSのセットと通信し、これらのBSのための調整および制御を行い得る。ネットワークコントローラ130は、バックホールを介してBS110と通信し得る。BS110はまた、たとえば、直接、または間接的にワイヤレスバックホールもしくは有線バックホールを介して、互いに通信し得る。
【００３０】
UE120(たとえば、120x、120yなど)は、ワイヤレスネットワーク100の全体にわたって分散されてよく、各UEは静止であってよく、またはモバイルであってよい。UEは、移動局、端末、アクセス端末、加入者ユニット、局、顧客構内設備(CPE:Customer Premises Equipment)、セルラーフォン、スマートフォン、携帯情報端末(PDA)、ワイヤレスモデム、ワイヤレス通信デバイス、ハンドヘルドデバイス、ラップトップコンピュータ、コードレスフォン、ワイヤレスローカルループ(WLL)局、タブレット、カメラ、ゲームデバイス、ネットブック、スマートブック、ウルトラブック、医療デバイスもしくは医療機器、生体センサー/デバイス、スマートウォッチ、スマート衣料、スマートグラス、スマートリストバンド、スマートジュエリー(たとえば、スマートリング、スマートブレスレットなど)などのウェアラブルデバイス、娯楽デバイス(たとえば、音楽デバイス、ビデオデバイス、衛星無線など)、車両コンポーネントもしくは車両センサー、スマートメータ/センサー、工業生産機器、全地球測位システムデバイス、またはワイヤレス媒体もしくはワイヤード媒体を介して通信するように構成された任意の他の適切なデバイスと呼ばれる場合もある。一部のUEは、発展型デバイスもしくはマシンタイプ通信(MTC)デバイスまたは発展型MTC(eMTC)デバイスと見なされる場合がある。MTC UEおよびeMTC UEは、BS、別のデバイス(たとえば、リモートデバイス)、または何らかの他のエンティティと通信することができる、たとえば、ロボット、ドローン、リモートデバイス、センサー、メータ、モニタ、ロケーションタグなどを含む。ワイヤレスノードは、たとえば、ワイヤード通信リンクまたはワイヤレス通信リンクを介して、ネットワーク(たとえば、インターネットもしくはセルラーネットワークなどのワイドエリアネットワーク)のための、またはネットワークへの接続性を提供し得る。一部のUEは、モノのインターネット(IoT)デバイスと見なされ得る。
【００３１】
図1において、両矢印を有する実線は、UEとサービングBSとの間の所望の送信を示し、サービングBSは、ダウンリンクおよび/またはアップリンク上でUEにサービスするように指定されたBSである。両矢印を有する破線は、UEとBSとの間の干渉する送信を示す。
【００３２】
特定のワイヤレスネットワーク(たとえば、LTE)は、ダウンリンク上で直交周波数分割多重化(OFDM)を利用し、かつアップリンク上でシングルキャリア周波数分割多重化(SC-FDM)を利用する。OFDMおよびSC-FDMは、システム帯域幅を、一般に、トーン、ビンなどとも呼ばれる、複数の(K個の)直交サブキャリアに区分する。各サブキャリアは、データで変調され得る。一般に、変調シンボルは、OFDMでは周波数領域において送られ、SC-FDMでは時間領域において送られる。隣接するサブキャリア間の間隔は固定される場合があり、サブキャリアの総数(K)は、システム帯域幅に依存する場合がある。たとえば、サブキャリアの間隔は15kHzであってよく、最小のリソース割振り(「リソースブロック」と呼ばれる)は12個のサブキャリア(または180kHz)であってよい。その結果、公称FFTサイズは、1.25、2.5、5、10または20メガヘルツ(MHz)のシステム帯域幅に対して、それぞれ、128、256、512、1024または2048に等しくなり得る。システム帯域幅はまた、サブバンドに区分され得る。たとえば、サブバンドは、1.08MHz(すなわち、6個のリソースブロック)をカバーすることができ、1.25、2.5、5、10または20MHzのシステム帯域幅に対して、それぞれ、1、2、4、8または16個のサブバンドが存在し得る。
【００３３】
本明細書で説明する例の態様はLTE技術に関連付けられ得るが、本開示の態様は、NRなど、他のワイヤレス通信システムに適用可能であり得る。NRは、アップリンクおよびダウンリンク上でCPを用いてOFDMを利用し、時分割複信(TDD)を使用する半二重動作に対するサポートを含み得る。100MHzの単一のコンポーネントキャリア帯域幅がサポートされ得る。NRリソースブロックは、0.1msの持続時間にわたって、サブキャリア帯域幅が75kHzの12個のサブキャリアにまたがり得る。各無線フレームは、10msの長さを有する50個のサブフレームで構成されてもよい。結果として、各サブフレームは0.2msの長さを有することができる。各サブフレームは、データ送信用のリンク方向(すなわち、DLまたはUL)を示してよく、サブフレームごとのリンク方向は、動的に切り替えられてよい。各サブフレームは、DL/ULデータならびにDL/UL制御データを含み得る。NRに関するULサブフレームおよびDLサブフレームは、図6および図7に関して以下でより詳細に説明されるようなものであり得る。ビームフォーミングがサポートされ得、ビーム方向が動的に構成され得る。プリコーディングを用いたMIMO送信もサポートされ得る。DLにおけるMIMO構成は、最大で8個のストリームおよびUEごとに最大で2個のストリームを用いたマルチレイヤDL送信で最大で8個の送信アンテナをサポートし得る。UEごとに最大で2個のストリームを用いたマルチレイヤ送信がサポートされ得る。最大で8個のサービングセルを用いて複数のセルのアグリゲーションがサポートされ得る。代替として、NRは、OFDMベース以外の異なるエアインターフェースをサポートし得る。NRネットワークは、CUおよび/またはDUなどのエンティティを含み得る。
【００３４】
いくつかの例では、エアインターフェースへのアクセスがスケジュールされてよく、スケジューリングエンティティ(たとえば、基地局)は、そのサービスエリアまたはセル内のいくつかのまたはすべてのデバイスおよび機器の間で通信のためのリソースを割り振る。本開示内では、以下でさらに説明するように、スケジューリングエンティティは、1つまたは複数の従属エンティティ用のリソースをスケジュールすること、割り当てること、再構成すること、および解放することを担当し得る。すなわち、スケジュールされた通信に対して、従属エンティティは、スケジューリングエンティティによって割り振られたリソースを利用する。基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能し得る。この例では、UEは、スケジューリングエンティティとして機能しており、他のUEは、ワイヤレス通信のためにUEによってスケジュールされたリソースを利用する。UEは、ピアツーピア(P2P)ネットワーク中および/またはメッシュネットワーク中でスケジューリングエンティティとして機能し得る。メッシュネットワーク例では、UEは、スケジューリングエンティティと通信することに加えて、場合によっては互いに直接通信し得る。
【００３５】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信し得る。
【００３６】
上述のように、RANは、CUおよびDUを含み得る。NR BS(たとえば、eNB、5GノードB、ノードB、送信受信ポイント(TRP)、アクセスポイント(AP))が、1つまたは複数のBSに対応し得る。NRセルは、アクセスセル(ACell)またはデータオンリーセル(DCell)として構成され得る。たとえば、RAN(たとえば、集約ユニットまたは分散ユニット)は、セルを構成することができる。DCellは、キャリアアグリゲーションまたはデュアルコネクティビティに使用されるが、初期アクセス、セル選択/再選択、またはハンドオーバに使用されないセルであり得る。場合によっては、DCellは同期信号を送信しないことがあり、場合によっては、DCellはSSを送信することがある。NR BSは、セルタイプを示すダウンリンク信号をUEに送信し得る。セルタイプ指示に基づいて、UEはNR BSと通信し得る。たとえば、UEは、示されたセルタイプに基づいて、セル選択用、アクセス用、ハンドオーバ用、および/または測定用と見なすべきNR BSを決定し得る。
【００３７】
図2は、図1に示したワイヤレス通信システム内で実装され得る分散型無線アクセスネットワーク(RAN)200の例示的な論理アーキテクチャを示す。5Gアクセスノード206は、アクセスノードコントローラ(ANC)202を含み得る。ANCは、分散型RAN200の集約ユニット(CU)であってよい。次世代コアネットワーク(NG-CN:next generation core network)204へのバックホールインターフェースは、ANCにおいて終端し得る。近隣次世代アクセスノード(NG-AN)へのバックホールインターフェースは、ANCにおいて終端し得る。ANCは、1つまたは複数のTRP208(BS、NR BS、ノードB、5G NB、AP、または何らかの他の用語で呼ばれることもある)を含み得る。上記で説明したように、TRPは「セル」と交換可能に使用され得る。
【００３８】
TRP208は、DUであってよい。TRPは、1つのANC(ANC202)に接続されてよく、または2つ以上のANC(図示せず)に接続されてよい。たとえば、RAN共有、サービスとしての無線(RaaS:radio as a service)、およびサービス固有ANC配置に対して、TRPは2つ以上のANCに接続され得る。TRPは、1つまたは複数のアンテナポートを含み得る。TRPは、UEへのトラフィックを個別に(たとえば、動的選択)または一緒に(たとえば、共同送信)サービスするように構成され得る。
【００３９】
ローカルアーキテクチャ200は、フロントホール定義を示すために使用され得る。異なる展開タイプにわたるフロントホール(fronthauling)解決策をサポートするアーキテクチャが定義され得る。たとえば、アーキテクチャは、送信ネットワーク能力(たとえば、帯域幅、レイテンシ、および/またはジッタ)に基づき得る。
【００４０】
アーキテクチャは、特徴および/または構成要素をLTEと共有し得る。態様によれば、次世代AN(NG-AN)210は、NRとのデュアルコネクティビティをサポートし得る。NG-ANは、LTEおよびNRに対して共通フロントホールを共有し得る。
【００４１】
アーキテクチャは、TRP208間の協働を可能にし得る。たとえば、協働は、TRP内にプリセットされてよく、かつ/またはANC202を経由してTRPにわたってプリセットされてよい。態様によれば、TRP間インターフェースが必要とされない/存在しない場合がある。
【００４２】
態様によれば、アーキテクチャ200内に、分割された論理機能の動的構成が存在する場合がある。図5を参照しながらより詳細に説明するように、無線リソース制御(RRC)レイヤ、パケットデータコンバージェンスプロトコル(PDCP)レイヤ、無線リンク制御(RLC)レイヤ、媒体アクセス制御(MAC)レイヤ、および物理(PHY)レイヤは、DUまたはCU(たとえば、それぞれTRPまたはANC)に適応可能に配置され得る。いくつかの態様によれば、BSは、集約ユニット(CU)(たとえば、ANC202)および/または1つもしくは複数の分散ユニット(たとえば、1つもしくは複数のTRP208)を含んでよい。
【００４３】
図3は、本開示のいくつかの態様による、分散型RAN300の例示的な物理アーキテクチャを示す。集中型コアネットワークユニット(C-CU)302が、コアネットワーク機能をホストし得る。C-CUは、中央に配置されてよい。C-CU機能は、ピーク容量に対処しようとして、(たとえば、アドバンストワイヤレスサービス(AWS)に)オフロードされ得る。
【００４４】
集中型RANユニット(C-RU)304が、1つまたは複数のANC機能をホストし得る。場合によっては、C-RUは、コアネットワーク機能を局所的にホストし得る。C-RUは分散配置を有してよい。C-RUは、ネットワークエッジのより近くにあってよい。
【００４５】
DU306が、1つまたは複数のTRP(エッジノード(EN)、エッジユニット(EU)、無線ヘッド(RH)、スマート無線ヘッド(SRH)など)をホストし得る。DUは、無線周波数(RF)機能を備えたネットワークのエッジに位置し得る。
【００４６】
図4は、本開示の態様を実施するために使用され得る、図1に示すBS110およびUE120の例示的な構成要素を示す。上記で説明したように、BSはTRPを含み得る。BS110およびUE120の1つまたは複数の構成要素は、本開示の態様を実践するために使用され得る。たとえば、UE120のアンテナ452、Tx/Rx222、プロセッサ466、458、464、および/もしくはコントローラ/プロセッサ480、ならびに/またはBS110のアンテナ434、プロセッサ430、420、438、および/もしくはコントローラ/プロセッサ440は、本明細書で説明し、図9、図10および/または図11を参照しながら示す動作を実行するために使用され得る。
【００４７】
図4は、図1におけるBSのうちの1つおよびUEのうちの1つであってよい、BS110およびUE120の設計のブロック図を示す。制限された接続シナリオの場合、基地局110は図1のマクロBS110cであってよく、UE120はUE120yであってよい。基地局110はまた、何らかの他のタイプの基地局であり得る。基地局110は、アンテナ434a〜434tを備えることができ、UE120は、アンテナ452a〜452rを備えることができる。
【００４８】
基地局110において、送信プロセッサ420は、データソース412からデータを受信し、コントローラ/プロセッサ440から制御情報を受信し得る。制御情報は、物理ブロードキャストチャネル(PBCH)、物理制御フォーマットインジケータチャネル(PCFICH)、物理ハイブリッドARQインジケータチャネル(PHICH)、物理ダウンリンク制御チャネル(PDCCH)などに関するものであってよい。データは、物理ダウンリンク共有チャネル(PDSCH)などに関するものであってよい。プロセッサ420は、データおよび制御情報を処理(たとえば、符号化およびシンボルマッピング)して、それぞれデータシンボルおよび制御シンボルを取得することができる。プロセッサ420はまた、たとえば、PSS、SSS、およびセル固有基準信号に関する基準シンボルを生成することもできる。送信(TX)多入力多出力(MIMO)プロセッサ430は、適用可能な場合には、データシンボル、制御シンボル、および/または基準シンボルに対して空間処理(たとえば、プリコーディング)を実行することができ、出力シンボルストリームを変調器(MOD)432a〜432tに提供することができる。たとえば、TX MIMOプロセッサ430は、RS多重化のために本明細書で説明するいくつかの態様を実行し得る。各変調器432は、(たとえば、OFDMなどのための)それぞれの出力シンボルストリームを処理して、出力サンプルストリームを取得することができる。各変調器432は、出力サンプルストリームをさらに処理(たとえば、アナログに変換、増幅、フィルタリング、およびアップコンバート)して、ダウンリンク信号を取得することができる。変調器432a〜432tからのダウンリンク信号を、それぞれアンテナ434a〜434tを介して送信してよい。
【００４９】
UE120において、アンテナ452a〜452rは、基地局110からダウンリンク信号を受信することができ、受信信号をそれぞれ復調器(DEMOD)454a〜454rに提供することができる。各復調器454は、それぞれの受信信号を調整(たとえば、フィルタリング、増幅、ダウンコンバート、およびデジタル化)して、入力サンプルを取得することができる。各復調器454は、(たとえば、OFDMなどのための)入力サンプルをさらに処理して、受信シンボルを取得することができる。MIMO検出器456は、すべての復調器454a〜454rから受信シンボルを取得し、適用可能な場合、受信シンボルに対してMIMO検出を実行し、検出されたシンボルを提供することができる。たとえば、MIMO検出器456は、本明細書で説明する技法を使用して送信された検出済みRSを提供し得る。受信プロセッサ458は、検出されたシンボルを処理(たとえば、復調、デインターリーブ、および復号)し、UE120のための復号されたデータをデータシンク460に提供し、復号された制御情報をコントローラ/プロセッサ480に提供することができる。
【００５０】
アップリンクでは、UE120において、送信プロセッサ464が、データソース462からの(たとえば、物理アップリンク共有チャネル(PUSCH)についての)データ、およびコントローラ/プロセッサ480からの(たとえば、物理アップリンク制御チャネル(PUCCH)についての)制御情報を受信し、処理してよい。送信プロセッサ464はまた、基準信号のための基準シンボルを生成し得る。送信プロセッサ464からのシンボルは、適用可能な場合には、TX MIMOプロセッサ466によってプリコーディングされ、(たとえばSC-FDMなどのために)復調器454a〜454rによってさらに処理され、基地局110に送信されてよい。BS110において、UE120からのアップリンク信号は、アンテナ434によって受信され、変調器432によって処理され、適用可能な場合には、MIMO検出器436によって検出され、受信プロセッサ438によってさらに処理されて、UE120によって送られた復号データおよび制御情報を取得し得る。受信プロセッサ438は、データシンク439に復号されたデータを提供し、コントローラ/プロセッサ440に復号された制御情報を提供してよい。
【００５１】
コントローラ/プロセッサ440および480は、それぞれ基地局110およびUE120における動作を指示し得る。基地局110におけるプロセッサ440ならびに/または他のプロセッサおよびモジュールは、たとえば、図13に示す機能的ブロックの実施および/または本明細書で説明する技法に対する他のプロセスを実行または指示し得る。UE120におけるプロセッサ480ならびに/または他のプロセッサおよびモジュールも、本明細書で説明する技法に対するプロセスを実行または指示し得る。メモリ442および482は、それぞれBS110およびUE120のためのデータおよびプログラムコードを記憶し得る。スケジューラ444は、ダウンリンクおよび/またはアップリンク上でのデータ送信のためにUEをスケジューリングし得る。
【００５２】
図5は、本開示の態様による、通信プロトコルスタックを実装するための例を示す図500を示す。示された通信プロトコルスタックは、5Gシステム(たとえば、アップリンクベースのモビリティをサポートするシステム)内で動作するデバイスによって実装され得る。図500は、無線リソース制御(RRC)レイヤ510、パケットデータコンバージェンスプロトコル(PDCP)レイヤ515、無線リンク制御(RLC)レイヤ520、媒体アクセス制御(MAC)レイヤ525、および物理(PHY)レイヤ530を含む通信プロトコルスタックを示す。様々な例では、プロトコルスタックのレイヤは、ソフトウェアの個別のモジュール、プロセッサもしくはASICの部分、通信リンクによって接続された非コロケートデバイスの部分、またはそれらの様々な組合せとして実装され得る。コロケート実装形態および非コロケート実装形態は、たとえば、ネットワークアクセスデバイス(たとえば、AN、CU、および/もしくはDU)またはUEのためのプロトコルスタックの中で使用されてよい。
【００５３】
第1のオプション505-aは、プロトコルスタックの実装が集中ネットワークアクセスデバイス(たとえば、図2のANC202)と分散ネットワークアクセスデバイス(たとえば、図2のDU208)との間で分割される、プロトコルスタックの分割実装形態を示す。第1のオプション505-aでは、RRCレイヤ510およびPDCPレイヤ515は、集約ユニットによって実装されてよく、RLCレイヤ520、MACレイヤ525、およびPHYレイヤ530は、DUによって実装されてよい。様々な例では、CUおよびDUは、コロケートされてよく、またはコロケートされなくてもよい。第1のオプション505-aは、マクロセル配置、マイクロセル配置、またはピコセル配置において有用であり得る。
【００５４】
第2のオプション505-bは、プロトコルスタックが単一のネットワークアクセスデバイス(たとえば、アクセスノード(AN)、ニューラジオ基地局(NB BS)、ニューラジオノードB(NR NB)、ネットワークノード(NN)など)の中で実装される、プロトコルスタックの統合実装形態を示す。第2のオプションでは、RRCレイヤ510、PDCPレイヤ515、RLCレイヤ520、MACレイヤ525、およびPHYレイヤ530は各々、ANによって実装され得る。第2のオプション505-bは、フェムトセル配置において有用であり得る。
【００５５】
ネットワークアクセスデバイスがプロトコルスタックの一部を実装するのか全部を実装するのかにかかわらず、UEは、全プロトコルスタック(たとえば、RRCレイヤ510、PDCPレイヤ515、RLCレイヤ520、MACレイヤ525、およびPHYレイヤ530)を実装してよい。
【００５６】
UEは、リソースの専用セットを使用してパイロットを送信することに関連する構成(たとえば、無線リソース制御(RRC)専用状態など)、またはリソースの共通セットを使用してパイロットを送信することに関連する構成(たとえば、RRC共通状態など)を含む、様々な無線リソース構成において動作し得る。RRC専用状態において動作するとき、UEは、パイロット信号をネットワークに送信するために、リソースの専用セットを選択し得る。RRC共通状態において動作するとき、UEは、パイロット信号をネットワークに送信するために、リソースの共通セットを選択し得る。いずれの場合も、UEによって送信されるパイロット信号は、ANもしくはDU、またはそれらの部分などの、1つまたは複数のネットワークアクセスデバイスによって受信され得る。各受信ネットワークアクセスデバイスは、リソースの共通セット上で送信されるパイロット信号を受信および測定するとともに、ネットワークアクセスデバイスがUEのためのネットワークアクセスデバイスの監視セットのメンバーであるUEに割り振られたリソースの専用セット上で送信されるパイロット信号も受信および測定するように構成され得る。受信ネットワークアクセスデバイスのうちの1つもしくは複数、または受信ネットワークアクセスデバイスがパイロット信号の測定値を送信する先のCUは、UE用のサービングセルを識別するために、またはUEのうちの1つもしくは複数のためのサービングセルの変更を開始するために、測定値を使用し得る。
【００５７】
例示的な非アクティブ状態
比較的少量のデータの交換を伴う様々なモノのインターネット(IoT)および他のタイプの適用例がある。たとえば、計測および警報の適用例は一般に、少量のモバイル発信(MO)データを伴う一方で、様々なクエリ、更新の通知、アクチュエータの有効化などは、少量のモバイル着信(MT)データを伴う。残念ながら、モバイルデバイスとネットワークとの間の接続を確立することは、(少量のデータに対して)大きいオーバーヘッドを伴う。
【００５８】
場合によっては、UEは、接続状態とアイドル状態との間の中間を表す非アクティブ「RAN制御」状態に置かれる場合がある。たとえば、非アクティブ「RAN制御」接続状態(たとえば、RRC_INACTIVE状態)にあるUEは、様々な特性を有する場合がある。これらの特性は、CN/RAN接続を維持することと、アクセス層(AS)コンテキストをRAN内に記憶することとを含み得る。加えて、ネットワークは、エリア内の(非アクティブ)UEのロケーションを知ることができ、UEは、ネットワークに通知することなく、そのエリア内のモビリティを実行する。その結果、RANは、かなりの量のリソースを専用にすることなく、RANで制御される「非アクティブ状態」にあるUEのページングをトリガすることができる。
【００５９】
RRC_INACTIVE状態にあるモバイルデバイス(たとえば、UE)へのまたはからのデータ送信を可能にすることは、UEが少量の送信すべきデータを有し、かつRANがその状態において送信すべきデータを有していないかまたは少量のデータを有するならば、意味をなす場合がある。UEまたはRANのいずれかが後続の送信すべきデータを有する場合、アクティブ接続状態(たとえば、RRC_CONNECTED状態)に移行するためのオーバーヘッドは正当化されてもよく、それによりデータは専用のリソースを用いて送られ得る。
【００６０】
上記で説明したように、非アクティブ状態では、UEコンテキストは、UEおよびgNBにおいて保持される。接続モードと比較される差は、UEが、物理データチャネルをモニタしてチャネルフィードバックを送る必要がなく、かつ無線アクセスネットワークベースのエリア(RNA)更新(RNAU)を除いて、ネットワークに通知することなくアイドルモードと同様にモビリティを実行ことができることである。
【００６１】
UEが、非アクティブモードにあるネットワークにアクセスするために異なるgNB(サービングgNBと呼ばれる)に移動するとき、UEは、周期的RAN更新タイマーの満了に起因してRNA更新を実行することができる。この場合、現在のサービングgNBは、UEを非アクティブ状態に戻すこと、またはUEをアイドルに移行させることを決定することができる。
【００６２】
非アクティブ状態にあるUEへの/からのシグナリングに対する例示的な最適化
本開示の態様は、RNAU(および/またはUEが非アクティブ状態にある間の他のシグナリング)に応答して、どのシグナリング無線ベアラ(SRB)およびどのようなタイプのセキュリティを使用するかに関して提示されるいくつかの課題に対処するのに役立ち得る。
【００６３】
そのような課題は、様々なシナリオ、および完全性保護が望ましいまたは必要であるかどうかを考慮して説明され得る。いくつかのタイプのSRBは、暗号化および完全性保護を利用する(たとえば、SRB1)が、他のタイプのSRBは利用しない(SRB0)。
【００６４】
たとえば、場合によっては、UEが接続を再開することを望むときにUEを非アクティブに戻すためのメッセージは、保護される必要はない。したがって、そのようなメッセージは、一般的に保護されない、待機タイマーを有するRRC拒絶メッセージと同様に扱われ得る。したがって、このメッセージは、SRB0(完全性保護なし)上で送られ得る。その一方で、非アクティブ状態からアイドル状態にUEを移行させるためのメッセージは、少なくとも完全性保護されるべきであり、したがって、SRB1上で送られるべきである。
【００６５】
上記のケースは、非アクティブ状態からの一般な再開をどのように処理するかを説明するが、異なる手順が、RNA更新を処理するために使用されてもよい。RNA更新がどのように処理されるかは、UEコンテキストが(アンカーgNBからサービングgNBに)移動されるかどうかを決定することができる。たとえば、サービングgNBが、UEが最後に接続された場所(アンカーgNBと呼ばれる)でUEコンテキストを要求して受信する場合、次いですべてのメッセージが、SRB1上で送られ得る。しかしながら、時々、UEコンテキストを移動させないことが好ましい。なぜならば、コンテキストをアンカーにおいて保持することで、UEへのシグナリングを少なくすることができ、そのことは、UEの電力消費に対して有利であるからである。本明細書で使用されるように、UEコンテキストは、一般に、特定のアクティブUEに関連付けられた(gNBにおける)情報のブロックを指す。UEコンテキストは、一般に、すべてのセキュリティ情報、およびUEとメッセージングのために使用される論理接続との間の関係を含む。
【００６６】
関連する問題は、UEがデュアルコネクティビティ(DC)で構成されるときの非アクティブモードにおけるモビリティである。3GPPリリース15は、LTEとNR RANとの間のDC動作をサポートし、そこにおいて、LTEはマスタノード(MN)であり、NRはセカンダリノード(SN)であり、EN-DC(E-UTRANニューラジオ-デュアルコネクティビティ)と呼ばれる。同様に、NE-DCがあり得、そこにおいて、NRはMNでありかつLTEはSNであるか、またはNRだけのDCもある(異なるNRエンティティがMNおよびSNとして働く)。
【００６７】
いずれの場合も、DCを有する非アクティブモードがサポートされることが予期される。この場合、UEが別のSNに移動する場合、UEからの更新メッセージがMNに、または新しいSNに送られ得る。次いで、MNが新しいSNを介してUEに返答することを決定する場合、どのSRBを使用するか、およびどのようなセキュリティを適用するかの課題が、再び生じる。
【００６８】
本開示の態様は、非アクティブ状態にあるUE(へのまたはからの)効率的なシグナリングのための、および適切なときに異なる状態に(たとえば、アイドル状態または接続状態に)遷移するための技法を提供する。以下で説明するように、UEを非アクティブ状態に遷移させる前に、UEをシグナリング無線ベアラ(SRB)で構成することによって、UEコンテキストを伝達することに関連するオーバーヘッドが、最小化され得るか、または少なくとも軽減され得る。
【００６９】
場合によっては、UEは、前のサービング(たとえば、アンカー)基地局と新しい(ターゲットの)基地局の両方への接続(リンク)を有する「分割」SRBと見なし得るもので構成され得る。たとえば、DCシナリオでは、UEは、MNへの第1のリンクおよびSNへの第2のリンクを有する分割SRBを有し得る。他の場合には、UEは、リンクの一方が「フローティング」である場合の「仮想分割」SRBで構成されてもよく、UEが新しいノードで再開する場合(UEが、リンクが使用されない、前のサービングノードにおいて再開する場合)に、UEがそのリンクのみを使用し得ることを意味する。
【００７０】
本技法は、一般に、UEが非アクティブ状態の通信状態にある間に、他のネットワークエンティティ(eNB/gNBなど)のうちの1つが、モビリティ目的(エリア更新)のためのUEからのシグナリング、非アクティブ状態から遷移すること、および/またはデータを送るかまたは受信することを知らせる(signal)かまたは受信することを可能にする。
【００７１】
図8は、本開示の態様による、非アクティブ状態にあるUEへのおよび/またはからのシグナリングのコールフロー図である。図示のように、アンカーノード(たとえば、非アクティブUEが前に接続していた、後続の通信に対するUEコンテキストを有する、基地局またはeNB/gNB)は、UEを非アクティブ状態に遷移させる前に、分割シグナリング無線ベアラ(SRB)でUEを構成する。SRBの一方のレグ(リンク)は、アンカーgNBに対するものである一方で、別のレグは、任意の特定のセルに結ばれず、したがって、任意の現在のサービングgNBに移動され得る。
【００７２】
図示のように、UEは、次いで、この分割SRBを使用して、非アクティブ状態にある間にネットワークと通信し得る。たとえば、UEは、分割SRBを使用して、RNA更新を実行すること、および/またはRRC接続を再開するためのメッセージを送ることができる。サービングgNBは、そのようなメッセージをアンカーgNBに転送し得、同様に、応答を(UEコンテキストをサービングgNBに移動させる必要なく)アンカーgNBから元のUEに転送し得る。上述のように、場合に応じて、UEからのメッセージおよび/または応答は、UEを非アクティブ状態に移行させるときにアンカーgNBに与えられる認証情報を使用する完全性保護であり得る。
【００７３】
上記で説明したように、アンカーgNBからのレグと、UEが現在アクセスしているgNB(たとえば、非DCの場合はサービングgNB)からのレグの、2つのレグを有する分割SRBでUEを構成することによって、アンカーgNBからの応答は、新しいSRBをサービングgNBで確立する必要なく、このSRB上で送られ得る。
【００７４】
gNBという用語は、ここでは一般に、5Gコアネットワーク(図8に示すCN)に接続されるNR基地局またはLTE基地局のいずれかを指すことに留意されたい。
【００７５】
図9、図10および図11は、UE、アンカーgNB、およびサービングgNBそれぞれの観点から、非アクティブ状態にあるUEへの/からのシグナリングに対するSRB(たとえば、「分割」または「仮想分割」のSRB)を確立および/または利用するための例示的な動作900、1000および1100を示す。たとえば、動作900は、図1のUE120によって実行されてよく、一方で、動作1000および/または1100は、基地局110(たとえば、MNおよび/またはSNとして働く)によって実行されてよい。
【００７６】
動作900は、902において、第1の基地局への第1のリンクおよび第2の基地局への第2のリンクを有するシグナリング無線ベアラ(SRB)を確立するための構成のシグナリングを受信することによって開始する。上述のように、仮想分割SRBの場合、リンクの一方は「フローティング」であってよく、UEが再開する場所に応じて使用されても使用されなくてもよい。
【００７７】
904において、UEは、ネットワーク内のUEのコンテキストがUEおよび少なくとも第1の基地局において維持される、非アクティブ状態に遷移する。906において、UEは、非アクティブ状態にある間に分割SRBを使用してネットワークと通信する。
【００７８】
図10の動作1000は、1002において、ネットワークエンティティへの第1のリンクおよび別のネットワークエンティティへの第2のリンクを有する分割シグナリング無線ベアラ(SRB)を確立するための構成をユーザ機器(UE)にシグナリングすることによって開始する。1004において、アンカーgNBは、ネットワーク内のUEのコンテキストが、UEおよび少なくとも第1の基地局において維持される、非アクティブ状態にUEを遷移させる。1006において、アンカーgNBは、UEが非アクティブ状態にある間に分割SRBを介してUEと通信する。
【００７９】
図11の動作1100は、1102において、ネットワークエンティティへの第1のリンクおよび別のネットワークエンティティへの第2のリンクを有する分割シグナリング無線ベアラ(SRB)を介して非アクティブ状態にあるユーザ機器(UE)からメッセージを受信することによって開始する。1104において、サービングgNBは、メッセージを第2のネットワークエンティティに転送する。
【００８０】
上述のように、特別な(分割)SRBは、特定のセルに結ばれない2次リンクを有し得る。特別なSRBは、SRB0、SRB1またはSRB2(または新しいタイプのSRB)であり得る。UEは、非アクティブ状態にある間に特別なSRB構成を保持し、特別なSRBを使用して新しいgNB(アンカーgNBとは異なる)にアクセスする。UEは、新しいgNBにおいてSRBのレグに対するデフォルトレイヤ2(L2)構成を使用し得る。
【００８１】
上述のように、UEは、非アクティブに移行する前にアンカーgNBによってUEに与えられるセキュリティ認証情報を使用し得る。新しいgNBは、たとえば、メッセージ内で受信されたUE識別情報に基づいて、UEメッセージ(たとえば、RNAU、RRC接続再開)をアンカーgNBに転送する。アンカーgNBは、新しいgNBを介して特別なSRB上でUEメッセージに応答する(すなわち、新しいサービングgNBが応答を転送する)。
【００８２】
DCモードで動作するとき、新しいgNBは、新しい潜在的SNとしても働き得る。その場合、UEメッセージを受信すると、MNは、新しいgNBをSNとして構成し、古いSNを解放することができる(およびSN手順の変更が適用される)。
【００８３】
上述のように、本明細書で説明するシグナリング技法は、非アクティブ状態にあるUEへの/からのシグナリングのために、どのようなタイプの完全性保護を使用するかを決定するための柔軟なオプションを提供し得る。
【００８４】
たとえば、RRC接続を再開しようとする、INACTIVEにあるUEは、UEをINACTIVEに戻すためにタイプSRB0(完全性保護なし)として実装される分割SRB上で送られるMSG4(すなわち、待機タイマーで拒絶される)を受信することができる。
【００８５】
INACTIVE関連のパラメータ/構成は、一般的に、(SRB0は保護されないメッセージであるので)SRB0上で送られるMSG4によって更新されるべきでないが、特別なSRBをSRB1(または完全性保護を有する他のSRBタイプ)を実装することは、そのような更新を可能にし得る。
【００８６】
たとえば、RRC接続を再開しようとする、INACTIVE状態にあるUEは、RNA更新使用事例など、UEをINACTIVE(すなわち、拒絶されない)に戻すために少なくとも完全性保護を有するタイプSRB1として分割SRB上で送られるMSG4を受信することができる。MSG4(すなわち、拒絶されない)は、UEを非アクティブに移行させるメッセージによって構成され得るパラメータと少なくとも同じパラメータ(たとえば、非アクティブモードモビリティ制御情報または再選択優先度情報に対するI-RNTI、RNA、RAN DRXサイクル、周期的RNAUタイマー、リダイレクトキャリア周波数)を構成することができる。
【００８７】
RRC接続を再開しようとする、INACTIVEにあるUEは、UEをIDLEに移行させるために少なくとも完全性保護を有するタイプSRB1として実装される分割SRB上で送られるMSG4を受信することができる。このMSG4(すなわち、IDLEへのSRB1解放)は、RRC接続解放の種類のメッセージ(たとえば、優先度、リダイレクト情報、アイドルモードモビリティ制御情報、原因およびアイドルモード再選択情報)と同じ情報を搬送することができる。
【００８８】
RRC接続を再開しようとする、INACTIVEにあるUEは、UEをIDLEに移行させて(すなわち、RRC接続確立に対するフォールバックの使用を除外することなく)IDLEにとどまらせるために、SRB0(完全性保護なし)として実装された分割SRB上で送られたMSG4を受信することはできない場合がある。
【００８９】
図12は、たとえば、UEが、依然として、構成されたRNA内にあり、最後のサービングgNBが、UEコンテキストを(新しいgNBに)再配置せず、UEをRRC_INACTIVEに保持することを決定するときのRNA更新手順に対する例示的なコールフロー図を示す。この場合、UEは、(たとえば、最後のサービングgNBおよび適切な原因値によって割り振られたRNTIを提供することによって)INACTIVE状態から再開し得る。新しいgNBが、I-RNTI内に含まれるgNBのアイデンティティを決定することができる場合、そのgNBは、UEコンテキストを提供すること(たとえば、RNAU内で受信された原因値を提供すること)を最後のサービングgNBに要求し得る。図示のように、最後のサービング(アンカー)gNBは、たとえば、サスペンド指示を含み得るカプセル化されたRRCReleaseメッセージを含むUEコンテキスト回収失敗(RETRIEVE UE CONTEXT FAILURE)メッセージで、gNBに応答し得る。gNBは、RNAU/再開RRC接続メッセージに対する応答として、このRRCReleaseメッセージをUEに転送し得る。
【００９０】
例示的な実施形態
実施形態1:ユーザ機器(UE)によるワイヤレス通信のための方法であって、第1のネットワークエンティティへの第1のリンクおよび第2のネットワークエンティティへの第2のリンクのうちの少なくとも1つを有するシグナリング無線ベアラ(SRB)を確立するための構成のシグナリングを受信するステップと、ネットワーク内のUEのコンテキストがUEおよび少なくとも第1のネットワークエンティティにおいて維持される非アクティブ状態に遷移するステップと、非アクティブ状態にある間にSRBを使用してネットワークと通信するステップとを含む、方法。
【００９１】
実施形態2:第1のネットワークエンティティが、構成をUEにシグナリングしたアンカー基地局を含み、第2のネットワークエンティティが、UEがネットワークにアクセスするために使用している基地局を含む、実施形態1の方法。
【００９２】
実施形態3:UEがデュアルコネクティビティをサポートし、SRBが第1のネットワークエンティティへの第1のリンクおよび第2のネットワークエンティティへの第2のリンクを有する分割SRBを含み、第1のネットワークエンティティがマスタノード(MN)を含み、第2のネットワークエンティティがセカンダリノード(SN)を含む、実施形態1または2の方法。
【００９３】
実施形態4:MNが、第2のネットワークエンティティをSNとして働くように構成し、UEに対するSNとして以前働いていた別のネットワークエンティティを解放する、実施形態3の方法。
【００９４】
実施形態5:UEが、非アクティブ状態に移行する前に、第1のネットワークエンティティから取得したセキュリティ認証情報を使用して、SRBに対して完全性保護を適用する、実施形態1から4のいずれかの方法。
【００９５】
実施形態6:UEが、第2のネットワークエンティティに移行する際に、SRBを介してネットワークにアクセスするための構成を適用する、実施形態1から5のいずれかの方法。
【００９６】
実施形態7:ネットワークと通信するステップが、分割ベアラを使用して無線アクセスネットワーク(RAN)通知エリア(RNA)更新手順を実行するステップを含む、実施形態6の方法。
【００９７】
実施形態8:分割ベアラを使用してRNA更新手順を実行するステップが、SRBを介して第1のネットワークエンティティに転送されることになるRNA更新メッセージを、第2のネットワークエンティティに送るステップと、SRBを介して第2のネットワークエンティティから転送されたRNA更新メッセージに対する応答を、第1のネットワークエンティティから受信するステップとを含む、実施形態7の方法。
【００９８】
実施形態9:ネットワークと通信するステップが、分割ベアラを使用して無線リソース制御(RRC)接続を再開するために、非アクティブ状態からの遷移を要求するメッセージを送るステップを含む、実施形態6の方法。
【００９９】
実施形態10:SRBを介して第2のネットワークエンティティから転送された要求に対する応答を、第1のネットワークエンティティから受信するステップをさらに含む、実施形態9の方法。
【０１００】
実施形態11:応答が、要求を拒絶するものであり、完全性保護を有していないSRBを介して受信される、実施形態10の方法。
【０１０１】
実施形態12:応答が、UEを非アクティブ状態に戻すものであり、完全性保護を有するSRBを介して受信される、実施形態1から11のいずれかの方法。
【０１０２】
実施形態13:応答が、UEを非アクティブ状態に移行させるメッセージによって構成されたパラメータと同じ、少なくともいくつかのパラメータを構成する、実施形態12の方法。
【０１０３】
実施形態14:応答が、UEをアイドル状態に移行させるものであり、完全性保護を有するSRBを介して受信される、実施形態1から13のいずれかの方法。
【０１０４】
実施形態15:応答が、優先度、リダイレクト情報、アイドルモードモビリティ制御情報、原因、またはアイドルモード再選択情報のうちの少なくとも1つを搬送する、実施形態14の方法。
【０１０５】
実施形態16:応答が、UEがアイドル状態を保つべきであることを示す、実施形態1から15のいずれかの方法。
【０１０６】
実施形態17:ネットワークと通信するステップが、SRBを介してデータを送るステップまたは受信するステップのうちの少なくとも1つを含む、実施形態1から16のいずれかの方法。
【０１０７】
実施形態18:ネットワークエンティティによるワイヤレス通信のための方法であって、ネットワークエンティティへの第1のリンクおよび別のネットワークエンティティへの第2のリンクを有するシグナリング無線ベアラ(SRB)を確立するための構成をユーザ機器(UE)にシグナリングするステップと、ネットワーク内のUEのコンテキストがUEおよび少なくとも第1のネットワークエンティティにおいて維持される非アクティブ状態にUEを遷移させるステップと、UEが非アクティブ状態にある間にSRBを介してUEと通信するステップとを含む、方法。
【０１０８】
実施形態19:ネットワークエンティティが、構成をUEにシグナリングしたアンカー基地局を含み、別のネットワークエンティティが、UEがネットワークにアクセスするために使用している基地局を含む、実施形態18の方法。
【０１０９】
実施形態20:UEがデュアルコネクティビティをサポートし、SRBが第1のネットワークエンティティへの第1のリンクおよび第2のネットワークエンティティへの第2のリンクを有する分割SRBを含み、ネットワークエンティティがマスタノード(MN)を含み、別のネットワークエンティティがセカンダリノード(SN)を含む、実施形態18から19のいずれかの方法。
【０１１０】
実施形態21:MNが、別のネットワークエンティティをSNとして働くように構成し、UEに対するSNとして以前働いていた別のネットワークエンティティを解放する、実施形態18から20のいずれかの方法。
【０１１１】
実施形態22:ネットワークエンティティが、非アクティブ状態に移行する前に、UEに与えられたセキュリティ認証情報を使用して、SRBに対して完全性保護を適用する、実施形態18から21のいずれかの方法。
【０１１２】
実施形態23:UEが、別のネットワークエンティティに移行する際に、SRBを介してネットワークにアクセスするための構成を適用する、実施形態18から22のいずれかの方法。
【０１１３】
実施形態24:UEと通信するステップが、分割ベアラを使用して無線アクセスネットワーク(RAN)通知エリア(RNA)更新をUEから受信するステップを含む、実施形態23の方法。
【０１１４】
実施形態25:分割ベアラを使用してRNA更新手順を受信するステップが、SRBを介して別のネットワークエンティティによって転送されたRNA更新メッセージを受信するステップと、SRBを介して他のネットワークエンティティによってUEに転送されることになる、RNA更新メッセージに対する応答を送るステップとを含む、実施形態24の方法。
【０１１５】
実施形態26:UEと通信するステップが、分割ベアラを使用して無線リソース制御(RRC)接続を再開するために、非アクティブ状態からの遷移を要求するメッセージをUEから受信するステップを含む実施形態18から25のいずれかの方法。
【０１１６】
実施形態27:SRBを介してUEに転送されることになる、要求に対する応答を、別のネットワークエンティティに送るステップをさらに含む、実施形態26の方法。
【０１１７】
実施形態28:応答が、要求を拒絶するものであり、完全性保護を有していないSRBを介して受信される、実施形態27の方法。
【０１１８】
実施形態29:応答が、UEを非アクティブ状態に戻すものであり、完全性保護を有するSRBを介して受信される、実施形態18から28のいずれかの方法。
【０１１９】
実施形態30:応答が、UEを非アクティブ状態に移行させるメッセージによって構成されたパラメータと同じ、少なくともいくつかのパラメータを構成する、実施形態29の方法。
【０１２０】
実施形態31:応答が、UEをアイドル状態に移行させるものであり、完全性保護を有するSRBを介して受信される、実施形態18から30のいずれかの方法。
【０１２１】
実施形態32:応答が、優先度、リダイレクト情報、アイドルモードモビリティ制御情報、原因、またはアイドルモード再選択情報のうちの少なくとも1つを搬送する、実施形態18から31のいずれかの方法。
【０１２２】
実施形態33:応答が、UEがアイドル状態を保つべきであることを示す、実施形態18から31のいずれかの方法。
【０１２３】
実施形態34:UEと通信するステップが、SRBを介してデータを送るステップまたは受信するステップのうちの少なくとも1つを含む、実施形態18から33のいずれかの方法。
【０１２４】
実施形態35:ネットワークエンティティによるワイヤレス通信のための方法であって、ネットワークエンティティへの第1のリンクおよび別のネットワークエンティティへの第2のリンクを有するシグナリング無線ベアラ(SRB)を介して非アクティブ状態にあるユーザ機器(UE)からメッセージを受信するステップと、メッセージを第2のネットワークエンティティに転送するステップとを含む、方法。
【０１２５】
実施形態36:別のネットワークエンティティが、構成をUEにシグナリングしたアンカー基地局を含み、ネットワークエンティティが、UEがネットワークにアクセスするために使用している基地局を含む、実施形態35の方法。
【０１２６】
実施形態37:UEがデュアルコネクティビティをサポートし、別のネットワークエンティティがマスタノード(MN)を含み、ネットワークエンティティがセカンダリノード(SN)を含む、実施形態35または36の方法。
【０１２７】
実施形態38:MNが、ネットワークエンティティをSNとして働くように構成し、UEに対するSNとして以前働いていた別のネットワークエンティティを解放する、実施形態37の方法。
【０１２８】
本明細書で開示する方法は、説明した方法を実現するための1つまたは複数のステップまたはアクションを含む。方法ステップおよび/またはアクションは、特許請求の範囲の範囲から逸脱することなく互いに入れ替えられ得る。言い換えれば、ステップまたはアクションの特定の順序が指定されない限り、特定のステップおよび/またはアクションの順序および/または使用は、特許請求の範囲の範囲から逸脱することなく修正され得る。
【０１２９】
本明細書で使用する場合、項目の列挙「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、または任意の他の順序のa、b、およびc)を包含するものとする。
【０１３０】
本明細書で使用する「決定すること」という用語は、幅広い様々なアクションを包含する。たとえば、「決定すること」は、算出すること、計算すること、処理すること、導出すること、調査すること、ルックアップすること(たとえば、テーブル、データベースまたは別のデータ構造においてルックアップすること)、確認することなどを含んでよい。また、「決定すること」は、受信すること(たとえば、情報を受信すること)、アクセスすること(たとえば、メモリ内のデータにアクセスすること)などを含み得る。また、「決定すること」は、解決すること、選択すること、選出すること、確立することなどを含み得る。
【０１３１】
前述の説明は、いかなる当業者も、本明細書で説明した様々な態様を実践することが可能になるように提供される。これらの態様の様々な変更が、当業者には容易に明らかになり、本明細書において規定される一般原理は、他の態様に適用される場合がある。したがって、特許請求の範囲は、本明細書に示した態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。別段に明記されていない限り、「いくつかの」という用語は、1つまたは複数を指す。当業者に知られているか、または後で知られることになる、本開示全体にわたって説明した様々な態様の要素に対するすべての構造的および機能的均等物は、参照により本明細書に明確に組み込まれ、特許請求の範囲によって包含されることが意図される。その上、本明細書で開示したものは、そのような開示が特許請求の範囲に明示的に記載されているかどうかにかかわらず、公に供されるものではない。請求項の要素は、要素が「のための手段」という句を使用して明確に列挙されていない限り、または方法クレームの場合、要素が「のためのステップ」という句を使用して列挙されていない限り、米国特許法112条第6段落の規定に基づいて解釈されるべきではない。
【０１３２】
上記で説明した方法の様々な動作は、対応する機能を実行することが可能な任意の適切な手段によって実行され得る。手段は、限定はしないが、回路、特定用途向け集積回路(ASIC)、またはプロセッサを含む、様々なハードウェアおよび/またはソフトウェア構成要素および/またはモジュールを含み得る。一般に、図に示される動作がある場合、それらの動作は、同様の番号を付された対応する相対物のミーンズプラスファンクション構成要素を有し得る。
【０１３３】
たとえば、送信するための手段および/または受信するための手段は、基地局110の送信プロセッサ420、TX MIMOプロセッサ430、受信プロセッサ438、もしくはアンテナ434、および/またはユーザ機器120の送信プロセッサ464、TX MIMOプロセッサ466、受信プロセッサ458、もしくはアンテナ452のうちの1つまたは複数を含み得る。加えて、生成するための手段、多重化するための手段、および/または適用するための手段は、基地局110のコントローラ/プロセッサ440および/またはユーザ機器120のコントローラ/プロセッサ480などの1つまたは複数のプロセッサを含み得る。
【０１３４】
本開示に関連して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、ディスクリートゲートもしくはトランジスタ論理、ディスクリートハードウェア構成要素、または本明細書で説明する機能を実行するように設計されたそれらの任意の組合せを用いて実装または実行され得る。汎用プロセッサは、マイクロプロセッサであってよいが、代替として、プロセッサは、任意の市販のプロセッサ、コントローラ、マイクロコントローラ、または状態機械であってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装されてもよい。
【０１３５】
ハードウェアにおいて実装される場合、例示的なハードウェア構成は、ワイヤレスノード内の処理システムを含み得る。処理システムは、バスアーキテクチャを用いて実装され得る。バスは、処理システムの特定の適用例および全体的な設計制約に応じて、任意の数の相互接続バスおよびブリッジを含んでよい。バスは、プロセッサ、機械可読媒体、およびバスインターフェースを含む様々な回路を互いにリンクさせ得る。バスインターフェースは、バスを介して、とりわけ、処理システムにネットワークアダプタを接続するために使用され得る。ネットワークアダプタは、PHYレイヤの信号処理機能を実装するために使用され得る。ユーザ端末120(図1参照)の場合、ユーザインターフェース(たとえば、キーパッド、ディスプレイ、マウス、ジョイスティックなど)がバスに接続されてもよい。バスは、タイミングソース、周辺装置、電圧調整器、電力管理回路などの様々な他の回路をリンクさせる場合があるが、これらの回路は当技術分野でよく知られており、したがって、これ以上は説明しない。プロセッサは、1つまたは複数の汎用プロセッサおよび/または専用プロセッサを用いて実装されてよい。例には、マイクロプロセッサ、マイクロコントローラ、DSPプロセッサ、およびソフトウェアを実行できる他の回路が含まれる。当業者は、特定の適用例とシステム全体に課せられた全体的な設計制約とに応じて処理システムに関する上述の機能を最も適切に実装するにはどうすべきかを認識するであろう。
【０１３６】
ソフトウェアにおいて実装される場合、機能は、1つまたは複数の命令またはコードとしてコンピュータ可読媒体上に記憶されるか、またはコンピュータ可読媒体を介して送信され得る。ソフトウェアは、ソフトウェア、ファームウェア、ミドルウェア、マイクロコード、ハードウェア記述言語と呼ばれるか、または他の名称で呼ばれるかどうかにかかわらず、命令、データ、またはそれらの任意の組合せを意味するように広く解釈されるべきである。コンピュータ可読媒体は、コンピュータ記憶媒体と、ある場所から別の場所へのコンピュータプログラムの伝達を容易にする任意の媒体を含む通信媒体の両方を含む。プロセッサは、機械可読記憶媒体に記憶されたソフトウェアモジュールの実行を含む、バスおよび一般的な処理を管理することを担い得る。コンピュータ可読記憶媒体は、プロセッサがその記憶媒体から情報を読み取ることができ、かつその記憶媒体に情報を書き込むことができるようにプロセッサに結合されてよい。代替として、記憶媒体は、プロセッサと一体であってよい。例として、機械可読媒体は、送信線路、データによって変調された搬送波、および/またはワイヤレスノードとは別個の命令が記憶されたコンピュータ可読記憶媒体を含んでよく、これらはすべて、バスインターフェースを介してプロセッサによってアクセスされる場合がある。代替としてまたは追加として、機械可読媒体またはその任意の部分は、キャッシュおよび/または汎用レジスタファイルと同様にプロセッサに統合されてよい。機械可読記憶媒体の例は、例として挙げると、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは任意の他の適切な記憶媒体、またはそれらの任意の組合せがあり得る。機械可読媒体はコンピュータプログラム製品内で具現化されてよい。
【０１３７】
ソフトウェアモジュールは、単一の命令または多くの命令を含み得、いくつかの異なるコードセグメントにわたって、異なるプログラム間で、また複数の記憶媒体にわたって、分散され得る。コンピュータ可読媒体は、いくつかのソフトウェアモジュールを含んでよい。ソフトウェアモジュールは、プロセッサなどの装置によって実行されると、処理システムに様々な機能を実行させる命令を含む。ソフトウェアモジュールは、送信モジュールと受信モジュールとを含んでよい。各ソフトウェアモジュールは、単一の記憶デバイス内に存在しても、または複数の記憶デバイスにわたって分散されてよい。例として、トリガイベントが発生したときに、ソフトウェアモジュールは、ハードドライブからRAMにロードされてよい。ソフトウェアモジュールの実行中、プロセッサは、アクセス速度を高めるために、命令のうちのいくつかをキャッシュにロードしてよい。1つまたは複数のキャッシュラインが、次いで、プロセッサによって実行されるように汎用レジスタファイルにロードされてよい。以下でソフトウェアモジュールの機能に言及する場合、そのような機能は、そのソフトウェアモジュールからの命令を実行するときにプロセッサによって実装されることが理解されよう。
【０１３８】
また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピーディスク(disk)、およびBlu-ray(登録商標)ディスク(disc)を含み、ディスク(disk)は、通常、データを磁気的に再生し、ディスク(disc)は、レーザを用いてデータを光学的に再生する。したがって、いくつかの態様では、コンピュータ可読媒体は、非一時的コンピュータ可読媒体(たとえば、有形媒体)を含んでよい。加えて、他の態様の場合、コンピュータ可読媒体は、一時的コンピュータ可読媒体(たとえば、信号)を含んでよい。上記の組合せもコンピュータ可読媒体の範囲に含まれるべきである。
【０１３９】
したがって、いくつかの態様は、本明細書で提示した動作を実行するためのコンピュータプログラム製品を含んでよい。たとえば、そのようなコンピュータプログラム製品は、本明細書で説明した動作を実行するように1つまたは複数のプロセッサによって実行可能である命令が記憶された(および/または符号化された)コンピュータ可読媒体を含んでよい。たとえば、本明細書で説明し、図13、図17、および図18に示す動作を実行するための命令。
【０１４０】
さらに、本明細書で説明する方法および技法を実行するためのモジュールおよび/または他の適切な手段は、適用可能な場合、ユーザ端末および/または基地局によってダウンロードおよび/または別の方法で取得されてよいことを理解されたい。たとえば、そのようなデバイスは、本明細書で説明する方法を実行するための手段の転送を容易にするためにサーバに結合されてよい。代替的に、本明細書で説明する様々な方法は、ユーザ端末および/または基地局が記憶手段(たとえば、RAM、ROM、コンパクトディスク(CD)またはフロッピーディスクなどの物理的記憶媒体など)をデバイスに結合または提供すると様々な方法を取得することができるように、記憶手段を介して提供されてよい。さらに、本明細書で説明する方法および技法をデバイスに提供するための任意の他の適切な技法が利用されてよい。
【０１４１】
特許請求の範囲が上記で示した厳密な構成および構成要素に限定されないことを理解されたい。特許請求の範囲の範囲から逸脱することなく、上記で説明した方法および装置の構成、動作、および詳細において、様々な修正、変更、および変形が加えられてよい。
【符号の説明】
【０１４２】
100  ワイヤレスネットワーク
102a  マクロセル
102b  マクロセル
102c  マクロセル
102x  ピコセル
102y  フェムトセル
102z  フェムトセル
110  基地局(BS)
110a  BS
110b  BS
110c  BS、マクロBS
110r  中継局
110x  BS
110y  BS
110z  BS
120  UE、ユーザ機器、ユーザ端末
120r  UE
120x  UE
120y  UE
130  ネットワークコントローラ
200  分散型無線アクセスネットワーク(RAN)、ローカルアーキテクチャ、アーキテクチャ
202  アクセスノードコントローラ(ANC)
204  次世代コアネットワーク(NG-CN)
206  5Gアクセスノード
208  TRP、DU
210  次世代AN(NG-AN)
222  Tx/Rx
300  分散型RAN
302  集中型コアネットワークユニット(C-CU)
304  集中型RANユニット(C-RU)
306  DU
412  データソース
420  プロセッサ、送信プロセッサ
432  変調器、BS変調器/復調器
432a〜432t  変調器(MOD)
434  アンテナ
434a〜434t  アンテナ
436  MIMO検出器
438  プロセッサ、受信プロセッサ
439  データシンク
440  コントローラ/プロセッサ、プロセッサ
442  メモリ
444  スケジューラ
452  アンテナ
452a〜452r  アンテナ
454  復調器
454a〜454r  復調器(DEMOD)
456  MIMO検出器
458  プロセッサ、受信プロセッサ
462  データソース
464  プロセッサ、送信プロセッサ
466  プロセッサ、TX MIMOプロセッサ
480  コントローラ/プロセッサ、プロセッサ
500  図
505-a  第1のオプション
505-b  第2のオプション
510  無線リソース制御(RRC)レイヤ
515  パケットデータコンバージェンスプロトコル(PDCP)レイヤ
520  無線リンク制御(RLC)レイヤ
525  媒体アクセス制御(MAC)レイヤ
530  物理(PHY)レイヤ
600  図
604  DLデータ部分
606  共通UL部分
700  図
702  制御部分
704  ULデータ部分
706  共通UL部分
900  動作
1000  動作
1100  動作
【図１】
2021521708.tif 000003
【図２】
2021521708.tif 000004
【図３】
2021521708.tif 000005
【図４】
2021521708.tif 000006
【図５】
2021521708.tif 000007
【図６】
2021521708.tif 000008
【図７】
2021521708.tif 000009
【図８】
2021521708.tif 000010
【図９】
2021521708.tif 000011
【図１０】
2021521708.tif 000012
【図１１】
2021521708.tif 000013
【図１２】
2021521708.tif 000014
【国際調査報告】
2021521708.tif 000015
2021521708.tif 000016